(57)【要約】      （修正有）【課題】経済的で簡単かつ確実に除去することができるアスベスト層の除去方法を提供する。【解決手段】アスベスト層３，１３、１９の除去方法は、吹付け施工されたアスベスト層に水７を散布して湿潤化させた後、この湿潤化されたアスベスト層に冷媒１５を吹付けて凍結させ、該凍結させたアスベスト層を剥離して除去することである。【選択図】図１
2007205127.tif 000002
【特許請求の範囲】
【請求項１】
吹付け施工された既存のアスベスト層に水を散布して湿潤化させた後、この湿潤化されたアスベスト層に冷媒を吹付けて凍結させ、該凍結させたアスベスト層を剥離して除去することを特徴とするアスベスト層の除去方法。
【請求項２】
冷媒は液体窒素または液体炭酸であることを特徴とする請求項１に記載のアスベスト層の除去方法。
【発明の詳細な説明】
【技術分野】
【０００１】
本願発明はアスベスト層の除去方法に関するものである。
【背景技術】
【０００２】
近年、アスベスト含有建材が経年劣化や脆弱化に伴う剥離、落下、あるいは解体時の飛散などによって人体への健康被害が及んで社会問題になっている。また、このアスベスト含有建材の除去処理工事においては、飛散するアスベスト繊維の低減と作業所以外に飛散するのを防ぐために負圧・除塵装置（高価で専門的な維持管理が必要）を設置して行っている。これは作業箇所を養生シートで厳密に囲み、その中に特別な保護衣と呼吸保護具を装備した作業者が入ってケレン棒やスクレーパなどを用いて除去作業を行っている。この除去したアスベストはプラスチック袋の中に入れて飛散防止剤で湿潤化させるか、セメントで固化させている。また除去作業の終了後、高価な高性能真空掃除機で床などの清掃を行っている。またその他のアスベスト層の除去方法として、例えば特開平８−１９９８３２号公報の発明がある。
【特許文献１】特開平８−１９９８３２号公報
【発明の開示】
【発明が解決しようとする課題】
【０００３】
しかし上記のアスベスト層の除去方法は、負圧・除塵装置や高性能真空掃除機などを使用する他、作業者が特別な保護衣と呼吸保護具を装備するためにコストがかかるという問題があった。また作業者がケレン棒やスクレーパなどを用いてアスベスト層を除去しているため多大な時間と労力を必要としていた。
【０００４】
本願発明は上記の課題を解決するためになされたものであり、その目的は経済的で簡単かつ確実に除去することができるアスベスト層の除去方法を提供することである。
【課題を解決するための手段】
【０００５】
上記の課題を解決するための本願発明のアスベスト層の除去方法は、吹付け施工された既存のアスベスト層に水を散布して湿潤化させた後、この湿潤化されたアスベスト層に冷媒を吹付けて凍結させ、該凍結させたアスベスト層を剥離して除去することを特徴とする。また冷媒は液体窒素または液体炭酸であることを含むものである。
【発明の効果】
【０００６】
アスベスト層を凍結させるので飛散防止と除去とが同時にできる。また特別な負圧・除塵装置（ＨＥＰＡフィルタ）、高性能真空掃除機、保護衣および呼吸保護具などを使用しないため工期の短縮やコストの削減ができる。またアスベストの除去後の処理が迅速かつ簡便で確実にできる。また環境改善への社会的な貢献をすることができる。
【発明を実施するための最良の形態】
【０００７】
以下、本願発明のアスベスト層の除去方法（以下除去方法という）の実施の形態を図面に基づいて説明する。また各実施の形態において同じ構成は同じ符号を付して説明し、異なった構成にのみ異なった符号を付して説明する。この除去方法は、建物の天井、壁面および耐熱の必要な箇所に吹付け施工されたアスベスト層を簡単かつ確実に除去しようとするものであり、本実施の形態においては天井に吹付け施工されたアスベスト層を対象に説明する。
【０００８】
図１および図２は第１の実施の形態の除去方法であり、アスベスト層の凍結および除去を全てリモートコントロール、すなわち凍結装置１および除去装置２を使用して行うものである。はじめにアスベスト層３の除去処理範囲を決定し、その範囲内に凍結装置１を設置する。次に、コントローラー４の遠隔操作によって凍結装置１を走行させながら散水ノズル５で水７を天井６のアスベスト層３に散布する。このアスベスト層３は多孔質であるため散布された水７が全て吸い込まれて湿潤化される。この散水ノズル５は貯水タンク８に接続され、散水圧と散水量とが圧力調整器９および圧縮ポンプ１０によってアスベストが飛散せず、かつアスベスト層３の水７が滴り落ちない程度に調整される。また散水ノズル５は天井６の高さ、およびアスベスト層３の厚さに応じて伸び縮みして、散水ヘッド１１とアスベスト層３との間隔１２、すなわち散水距離を常時一定に保持している。
【０００９】
次に、湿潤化されたアスベスト層１３に冷媒用噴射ノズル１４で液体窒素または液体炭酸などの冷媒１５を噴射する。この冷媒噴射によって湿潤化されたアスベスト層１３が瞬時に凍るためアスベストの飛散や落下を防ぐことができる。また冷媒用噴射ノズル１４は冷媒貯留タンク１６に接続され、噴射圧と噴射量とが圧力調整器９および圧縮ポンプ１０によってアスベストが飛散せず、かつアスベスト層３の水７が瞬時に凍る程度に調整される。また冷媒用噴射ノズル１４も上記と同様に天井６の高さおよびアスベスト層３の厚さに応じて伸び縮みして、噴射ヘッド１７とアスベスト層３との間隔１２、すなわち噴射距離を常時一定に保持している。
【００１０】
このように凍結装置１を走行させながら散水ノズル５および冷媒用噴射ノズル１４でアスベスト層３に散水および冷媒噴射を行うと除去処理範囲におけるアスベスト層が凍結するため、アスベストが飛散せず、かつ氷の重さによって剥離しやすくなる。
【００１１】
次に、図２に示すように、凍結装置１を撤去して除去装置２を設置する。そしてコントローラー４の遠隔操作によって除去装置２を走行させて吸着バケット１８を凍結したアスベスト層１９に密着させる。この吸着バケット１８は油圧装置２０で伸縮する油圧ジャッキ２１により上下動できるようになっている。そして吸着バケット１８の真空吸着盤２２で凍結したアスベスト層１９を剥がして排出口２３から回収ボックス２４に収納する。この真空吸着盤２２の吸着力が真空ポンプ２５によってアスベスト層３の厚さに応じて調整できるようになっている。この方法により凍結したアスベスト層１９を順次剥がして回収ボックス２４に収納し、この回収ボックス２４をそのまま撤去すると、無人でかつアスベストを飛散させずに除去することができる。
【００１２】
また図３および図４は第２の実施の形態の除去方法であり、アスベスト層３の凍結および除去を全て手動で行うものである。はじめにアスベスト層３の除去処理範囲を決定し、その範囲内に手動式の凍結装置２６を設置する。この凍結装置２６は散水ノズル２７、冷媒用噴射ノズル２８および走行が手動である以外は、上記のものと同じ構成である。次に、作業者２９が凍結装置２６の散水ノズル２７を持って、水７を散水ヘッド１１から天井６のアスベスト層３に散布する。この散水ノズル２７は貯水タンク８に接続され、散水圧と散水量とが圧力調整器９および圧縮ポンプ１０によってアスベストが飛散せず、かつアスベスト層３の水が滴り落ちない程度に手動で調整できるようになっている。
【００１３】
次に、アスベスト層３を全て湿潤化した後、散水ノズル２７を凍結装置２６に戻すとともに、作業者２９が冷媒用噴射ノズル２８を持って、液体窒素または液体炭酸などの冷媒１５を噴射ヘッド１７から湿潤化したアスベスト層１３に噴射する。この冷媒噴射により湿潤化されたアスベスト層１３が瞬時に凍るためアスベストの飛散や落下を防止することができる。この冷媒用噴射ノズル２８は冷媒貯留タンク１８に接続され、噴射圧と噴射量とが圧力調整器９および圧縮ポンプ１０によってアスベストが飛散せず、かつアスベスト層３の水が瞬時に凍る程度に手動で調整できるようになっている。
【００１４】
このようにアスベスト層３への手動による散水および冷媒噴射により、除去処理範囲におけるアスベスト層が凍結するためアスベストが飛散せず、かつ氷の重さによって剥離しやすくなる。
【００１５】
次に、図４に示すように、凍結装置２６を撤去するとともに、作業者２９が吸着ノズル３０を持って、先端の真空吸着盤３１で凍結したアスベスト層１９を吸引する。この真空吸着盤３１は吸引ホース３２で真空ポンプ２５に接続され、その吸着力を手動で調整することにより異なった厚さのアスベスト層３にも容易に対応することができるようになっている。このような方法により凍結したアスベスト層１９を順次剥がして回収・撤去すると、上記と同様にアスベストを飛散させずに除去することができる。
【図面の簡単な説明】
【００１６】
【図１】第１の実施の形態の除去方法であり、凍結装置でアスベスト層を凍結させている正面図である。
【図２】第２の実施の形態の除去方法であり、除去装置でアスベスト層を除去している正面図である。
【図３】第２の実施の形態の除去方法であり、手動でアスベスト層を凍結させている正面図である。
【図４】第２の実施の形態の除去方法であり、手動でアスベスト層を除去している正面図である。
【符号の説明】
【００１７】
１、２６  凍結装置
２  除去装置
３、１３、１９  アスベスト層
４  コントローラー
５、２７  散水ノズル
６  天井
７  水
８  貯水タンク
９  圧力調整器
１０  圧縮ポンプ
１１  散水ヘッド
１２  間隔
１４、２８  冷媒用噴射ノズル
１５  冷媒
１６  冷媒用貯留タンク
１７  噴射ヘッド
１８  吸着ヘッド
２０  油圧装置
２１  油圧ジャッキ
２２、３１  真空吸着盤
２３  排出口
２４  回収ボックス
２５  真空ポンプ
２９  作業者
３０  吸着ノズル
３２  吸引ホース
【図１】
2007205127.tif 000003
【図２】
2007205127.tif 000004
【図３】
2007205127.tif 000005
【図４】
2007205127.tif 000006